(57)【特許請求の範囲】
【請求項１】
複数の加入者装置と単一の局側装置とをＰＯＮトポロジで接続された光加入者システムにおける前記局側装置として機能する光通信装置であって、
前記加入者装置からの要求に応じて、前記局側装置と通信を行うための通信波長を前記加入者装置に割り当てる動的波長帯域割当回路を備え、
前記動的波長帯域割当回路が、
与えられた契機に、通信波長として使用されている使用波長のなかから、使用波長のうちの使用する前記加入者装置数が最も少ない波長を、使用を停止する使用停止波長に決定するスリープ波長決定部と、
前記スリープ波長決定部の決定した使用停止波長を使用していたすべての加入者装置を、使用停止波長とは異なる使用波長に切り替える波長切替部と、を備え、
前記波長切替部の切り替えを契機に、前記スリープ波長決定部の決定した使用停止波長の送受信器をスリープ状態に移行する光通信装置。
【請求項２】
前記与えられた契機は、予め定められた一定周期であることを特徴とする請求項１に記載の光通信装置。
【請求項３】
複数の加入者装置と単一の局側装置とをＰＯＮトポロジで接続された光加入者システムにおいて、前記局側装置と通信を行うための通信波長を前記局側装置が前記加入者装置に割り当てる動的波長割当方法であって、
与えられた契機に、通信波長として使用されている使用波長のなかから、使用波長のうちの使用する前記加入者装置数が最も少ない波長を、使用を停止する使用停止波長に決定するスリープ波長決定手順と、
前記スリープ波長決定手順で決定した使用停止波長を使用していたすべての加入者装置を、使用停止波長とは異なる使用波長に切り替える波長切替手順と、
前記スリープ波長決定手順で決定した使用停止波長の送受信器をスリープ状態に移行するスリープ手順と、
を順に有する動的波長割当方法。
【請求項４】
前記与えられた契機は、予め定められた一定周期であることを特徴とする請求項３に記載の動的波長割当方法。
【発明の詳細な説明】
【技術分野】
【０００１】
本発明は、波長多重及び時分割多重を組み合わせたＰＯＮ（Ｐａｓｓｉｖｅ  Ｏｐｔｉｃａｌ  Ｎｅｔｗｏｒｋ）における、波長組の割り当て方法に関する。
【背景技術】
【０００２】
近年の急速なインターネットの普及に伴い、光加入者システムの大容量化、高度化、経済化が求められている中、それを実現する手段としてＰＯＮの研究が進められている。ＰＯＮとは、光受動素子による光合分波器を用いて、１個の局側装置（ＯＬＴ：Ｏｐｔｉｃａｌ  Ｌｉｎｅ  Ｔｅｒｍｉｎａｌ）及び伝送路の一部を複数の加入者装置（ＯＮＵ：Ｏｐｔｉｃａｌ  Ｎｅｔｗｏｒｋ  Ｕｎｉｔ）で共有することにより、経済化を図る光通信システムである。
【０００３】
現在、日本では主に１Ｇｂｐｓの回線容量を最大３２ユーザで時分割多重（ＴＤＭ：Ｔｉｍｅ  Ｄｉｖｉｓｉｏｎ  Ｍｕｌｔｉｐｌｅｘｉｎｇ）によって共有する経済的な光加入者システムの一つであるＧＥ−ＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ）（Ｅｔｈｅｒｎｅｔは登録商標）が導入されている。これにより、ＦＴＴＨ（Ｆｉｂｅｒ  Ｔｏ  Ｔｈｅ  Ｈｏｍｅ）サービスが現実的な料金で提供されるようになった。
【０００４】
また、より大容量のニーズに対応するため、次世代光加入者システムとして、総帯域が１０Ｇｂｐｓ級である１０Ｇ−ＥＰＯＮの研究が進められており、２００９年に国際標準化が完了した。これは、送受信器のビットレートを増大させることにより、光ファイバなどの伝送路部分はＧＥ−ＰＯＮと同一のものを利用しながら、大容量化を実現する光加入者システムである。
【０００５】
さらなる将来には、超高精細映像サービスやユビキタスサービスなど１０Ｇ級を超える大容量が求められることが考えられるが、単純に送受信器のビットレートを１０Ｇ級から４０／１００Ｇ級に増大させるだけでは、システムアップグレードにかかるコストの増大により、実用化が難しいという課題があった。
【０００６】
これを解決する手段として、帯域要求量に応じて局側装置内の送受信器またはその周辺回路を含むインタフェース盤（ラインカード）であるＯＳＵ（Ｏｐｔｉｃａｌ  Ｓｕｂｓｃｒｉｂｅｒ  Ｕｎｉｔ）を段階的に増設することができるように、送受信器に波長可変性を付加し、時分割多重（ＴＤＭ）及び波長分割多重（ＷＤＭ：Ｗａｖｅｌｅｎｇｔｈ  Ｄｉｖｉｓｉｏｎ  Ｍｕｌｔｉｐｌｅｘｉｎｇ）を効果的に組み合わせた波長可変型ＷＤＭ／ＴＤＭ−ＰＯＮが報告されている（例えば、非特許文献１参照）。
【０００７】
波長可変型ＷＤＭ／ＴＤＭ−ＰＯＮは非特許文献２にあるように、ユーザの要求に合わせて段階的な総帯域の増設や柔軟な負荷分散が可能となるシステムとして近年注目されており、その段階的な総帯域の増設時に、負荷分散を行うために、ＯＮＵの所属するＯＳＵの変更には動的波長帯域割当アルゴリズムを用いる。動的波長帯域割当（ＤＷＢＡ：Ｄｙｎａｍｉｃ  Ｗａｖｅｌｅｎｇｔｈ  ａｎｄ  Ｂａｎｄｗｉｄｔｈ  Ａｌｌｏｃａｔｉｏｎ）は、所属するＯＳＵ内において、ＯＮＵからの上りの動的帯域割当（ＤＢＡ：Ｄｙｎａｍｉｃ  Ｂａｎｄｗｉｄｔｈ  Ａｌｌｏｃａｔｉｏｎ）と、所属ＯＳＵを切替える波長切替の組み合わせによって実現される。
【０００８】
図１に本発明に関連する波長可変型ＷＤＭ／ＴＤＭ−ＰＯＮシステムの一例を示す。波長可変型ＷＤＭ／ＴＤＭ−ＰＯＮシステムは、局側装置（ＯＬＴ）と加入者装置（ＯＮＵ）を備える。ＯＬＴ９１とＯＮＵ９２間はパワースプリッタまたは波長ルータなどの受動光部品９３を用いたｐｏｉｎｔ−ｔｏ−ｍｕｌｔｉｐｏｉｎｔ構成のＰＯＮトポロジで接続される。
【０００９】
ＯＬＴ９１は、ｍ種の各λ１ｄ，ｕ〜λｍｄ，ｕの波長組を送受信するｍ個のラインカードＯＳＵ１１と、動的波長帯域割当回路１３を備える。ＯＳＵ＃１〜ＯＳＵ＃ｍはＯＮＵ９２から送信されるλ１ｄ，ｕ〜λｍｄ，ｕのそれぞれの波長信号を送受信する。ＯＬＴ９１にはＯＮＵ＃１〜ＯＮＵ＃ｈのｈ台のＯＮＵ９２が接続され、それぞれのＯＮＵ９２は下りと上りの波長の組であるλ１ｄ，ｕ〜λｍｄ，ｕのいずれかの波長の組を用いて送受信する。ＯＮＵ９２はＯＬＴ９１からの指示に従ってλ１ｄ，ｕ〜λｍｄ，ｕの波長を切替えて送受信することができる。
【００１０】
各ＯＮＵ９２には設置されるユーザ宅の通信装置からの上り信号が入力され、ＯＮＵ９２内部の光送受信器で上り光信号として送信される。上り信号はＯＮＵ９２側のパワースプリッタまたは波長ルータからはＯＬＴ９１に向けて１本の光ファイバに多重されるため、上り信号が重ならないよう各ＯＮＵ９２が送信する上り信号の送信時刻、送信継続時間をＯＬＴ９１が算出し、制御する。ＯＳＵ＃１〜ＯＳＵ＃ｍで受信した上り信号Ｓ１ｕ〜ＳｍｕはＯＬＴ９１内の多重分離部１２にて集約され、一つの上り信号に多重されて中継ネットワーク側に送信される。一方中継ネットワーク側から各ＯＮＵ９２への下り信号は、多重分離部１２にて下り信号に記されている宛先ＯＮＵ情報とＯＮＵ９２の所属するＯＳＵ情報を基に、ＯＳＵ＃１〜ＯＳＵ＃ｍへの下り信号Ｓ１ｄ〜Ｓｍｄに分離される。分離された下り信号Ｓ１ｄ〜ＳｍｄはＯＳＵ＃１〜＃ｍの有するλ１ｄ，ｕ〜λｍｄ，ｕの波長で、各ＯＮＵ９２に送られる。下り信号は各ＯＳＵ１１の波長で同報されるが、ＯＮＵ９２の送受信波長が所属する各ＯＳＵ１１の送受信波長に設定されているため、ＯＮＵ９２は受信する波長の信号から、自宛の情報を選択し、ＯＮＵ９２からユーザ宅の通信装置へ出力される。
【００１１】
動的波長帯域割当回路１３は、ＤＷＢＡ計算部１３２、切替指示信号生成部１３３、制御信号送信部１３４、要求信号受信部１３１を備える。要求信号受信部１３１は、各ＯＮＵ９２から送信された帯域要求を含んだ信号を各ＯＳＵを通じて受信する。ＤＷＢＡ計算部１３２は、その要求に基づいて各ＯＮＵ９２に割当てる上りデータ信号および要求信号の送信時刻及び送信継続時間を算出する。切替指示信号生成部１３３は、その情報を格納した指示信号を生成する。制御信号送信部１３４は、生成した指示信号を、各ＯＳＵ１１を通じて各ＯＮＵ９２へ送信する。これにより、各ＯＳＵ１１は、要求のあったＯＮＵ９２に向けて、波長切替指示とともに、切替先波長とその波長の送信開始時刻及び送信継続時間を送信する。また、ＤＷＢＡ計算部１３２は、ＰＯＮ区間のＯＮＵ９２とＯＳＵ１１の接続情報を管理している。波長を切替えた際、ＤＷＢＡ計算部１３２は、波長を変更したＯＮＵ９２に関して、多重分離部１２が宛先が当該ＯＮＵの下り信号の転送先ＯＳＵ１１を変えるよう多重分離部１２に指示する。
【００１２】
図２にＯＮＵの構成を示す。ＯＮＵ９２は、データ受信部２１、データ送信部２８、上りバッファメモリ２２、下りバッファメモリ２７、宛先解析選択受信部２６、フレーム送出制御部２３、フレーム組立送信部２４、波長可変光送受信器２５、要求帯域計算部３２、要求信号生成部３１、指示信号受信部２９、波長切替制御部３０を備える。
【００１３】
データ受信部２１は、ユーザからの上り信号を受信する。上りバッファメモリ２２は、受信した上り信号を一時的に蓄積する。フレーム送出制御部２３は、指示信号受信部２９から指定された上り信号の送信開始時刻および送信継続時間に従って、上り信号をフレーム組立送信部２４に送る。フレーム組立送信部２４はＰＯＮ構成においてＯＬＴ９１に信号を送信するために必要なフレーム形式を構成し、波長可変光送受信器２５に送る。波長可変光送受信器２５は波長切替制御部３０で指定された波長λ１ｄ，ｕ〜λｍｄ，ｕのいずれかで光信号に変換してＯＬＴ９１へ送信する。ＯＳＵ１１からの下り信号は、波長可変光送受信器２５において、指定された波長を選択して受信し、宛先解析選択受信部２６において下り信号の宛先を解析して自宛の情報のみを選択し、下りバッファメモリ２７に格納する。データ送信部２８は下りバッファメモリ２７に蓄積されている情報をユーザへ下り信号として送信する。
【００１４】
波長可変光送受信器２５は、ＯＬＴ９１からの指示信号を受信して電気信号に変換し、指示信号受信部２９へ送る。指示信号受信部２９は、指示信号の指示内容を解析し、指示信号に波長切替指示、切替先波長及び切替開始時刻が含まれていれば、含まれていた切替開始時刻に切替先波長及び切替実行指示を波長切替制御部３０に送る。波長切替制御部３０は波長切替制御に従って波長可変光送受信器２５の波長を切替える。
【００１５】
また、ＯＬＴ９１はＯＮＵ９２の要求する帯域の情報をＯＮＵ９２から受信して帯域の割当に利用する。その方法はさまざまであるが、例えばこの要求帯域の情報をＯＬＴ９１へ送信するよう指示信号を用いて指示し、その指示に従ってＯＮＵ９２がＯＬＴ９１へ要求帯域の情報を要求信号に記載することもある。その場合、指示信号受信部２９は要求信号送出を要求する指示信号を受信すると、要求信号生成部３１へ要求信号の生成を指示する。要求信号生成部３１は要求帯域計算部３２に要求する帯域を算出するよう指示する。要求帯域計算部３２は上りバッファメモリ２２に蓄積されている上り信号のデータ量を計測しており、そのデータ量に基づき要求帯域量を決定し、要求信号生成部３１へ要求帯域量を送る。要求信号生成部３１は要求量を記載した要求信号を生成し、フレーム送出制御部２３に送る。
【００１６】
前記指示信号には要求信号の送信開始時刻および送信継続時間の情報が含まれていることもある。その場合、指示信号受信部２９はフレーム送出制御部２３に指示信号に含まれていた要求信号の送信開始時刻および送信継続時間の情報を送り、フレーム送出制御部２３は指示された時刻に要求信号をフレーム組立送信部２４に送り、波長可変光送受信器２５を介してＯＬＴ９１へ要求信号を送信する。また、ＯＬＴ９１から送信される指示信号にはＯＮＵ９２がユーザ側から受信した上り信号をＯＬＴ９１へ送信する送信開始時刻および送信継続時間が含まれている。指示信号受信部２９はフレーム送出制御部２３に指示信号に含まれていた上り信号の送信開始時間および送信継続時間の情報を送り、フレーム送出制御部２３は指示された時刻に上り信号を上りバッファメモリ２２からフレームを取り出し、送信継続時間の期間フレーム組立送信部２４に送り、波長可変光送受信器２５を介してＯＬＴ９１へ送信する。
【先行技術文献】
【非特許文献】
【００１７】
【非特許文献１】Ｋａｚｕｔａｋａ  Ｈａｒａ  ｅｔ  ａｌ，“Ｆｌｅｘｉｂｌｅ  ｌｏａｄ  ｂａｌａｎｃｉｎｇ  ｔｅｃｈｎｉｑｕｅ  ｕｓｉｎｇ  ｄｙｎａｍｉｃ  ｗａｖｅｌｅｎｇｔｈ  ｂａｎｄｗｉｄｔｈ  ａｌｌｏｃａｔｉｏｎ  （ＤＷＢＡ）  ｔｏｗａｒｄ  １００Ｇｂｉｔ／ｓ−ｃｌａｓｓ−ＷＤＭ／ＴＤＭ−ＰＯＮ”，Ｔｕ．３．Ｂ．２，  ＥＣＯＣ２０１０，２０１０
【非特許文献２】Ｓ．Ｋｉｍｕｒａ，“ＷＤＭ／ＴＤＭ−ＰＯＮ  Ｔｅｃｈｎｏｌｏｇｉｅｓ  ｆｏｒ  Ｆｕｔｕｒｅ  Ｆｌｅｘｉｂｌｅ  Ｏｐｔｉｃａｌ  Ａｃｃｅｓｓ  Ｎｅｔｗｏｒｋｓ”，６Ａ１−１，ＯＥＣＣ２０１０，２０１０．
【非特許文献３】玉置他，“次世代光アクセスネットワークに向けた波長可変型ＷＤＭ／ＴＤＭ−ＰＯＮ”，電子情報通信学会技術研究報告，ｖｏｌ．１１２，ｎｏ．１１８，  ｐｐ．３９−４４，２０１２年７月．
【発明の概要】
【発明が解決しようとする課題】
【００１８】
非特許文献３においては、環境負荷低減効果、電力削減による経済性をさらに高めるため、前述の波長割り当て変更手順を用い、ＯＳＵ９１に所属するＯＮＵ９２の割当を変更し、使用しないＯＳＵ１１を電源断またはスリープ状態にすることによる局側装置の省電力動作が可能であることを示している。しかし、具体的なスリープ状態への遷移手順や、どのＯＳＵをスリープ状態へ移行させるかついては示されていない。
【００１９】
ＯＳＵ稼働台数の削減による省電力動作においては、スリープ状態にするＯＳＵ１１に所属しているＯＮＵ９２を収容替えする必要がある。このとき、上記示した波長切替手順を用いることで別のＯＳＵ１１への収容替えを行うことができるが、ＯＮＵ９２における波長可変光送受信器２５の波長切替には少なからず時間を要するため、通信の途絶または遅延の増加は避けられない。この通信の途絶または遅延の増加を可能な限り抑圧することが課題となる。また、光加入者システムはコスト低減要求が高く、スリープ状態にするＯＳＵを決めるための手順は、簡易かつ実装が容易であることが求められる。
【００２０】
本発明は、ＯＳＵ稼働台数の削減による省電力動作において、簡易かつ実装を容易に、通信の途絶及び遅延を減少させることを目的とする。
【課題を解決するための手段】
【００２１】
本発明に係る光通信装置は、
複数の加入者装置と単一の局側装置とをＰＯＮトポロジで接続された光加入者システムにおける前記局側装置として機能する光通信装置であって、
前記加入者装置からの要求に応じて、前記局側装置と通信を行うための通信波長を前記加入者装置に割り当てる動的波長帯域割当回路を備え、
前記動的波長帯域割当回路が、
与えられた契機に、通信波長として使用されている使用波長のなかから、使用を停止する使用停止波長を決定するスリープ波長決定部と、
前記スリープ波長決定部の決定した使用停止波長を使用していたすべての加入者装置を、使用停止波長とは異なる使用波長に切り替える波長切替部と、を備え、
前記波長切替部の切り替えを契機に、前記スリープ波長決定部の決定した使用停止波長の送受信器をスリープ状態に移行する。
【００２２】
本発明に係る光通信装置では、前記スリープ波長決定部は、使用波長のうちの使用する前記加入者装置数が最も少ない波長を、使用停止波長に決定してもよい。
【００２３】
本発明に係る光通信装置では、前記与えられた契機は、予め定められた一定周期であってもよい。
【００２４】
本発明に係る動的波長割当方法は、
複数の加入者装置と単一の局側装置とをＰＯＮトポロジで接続された光加入者システムにおいて、前記局側装置と通信を行うための通信波長を前記局側装置が前記加入者装置に割り当てる動的波長割当方法であって、
与えられた契機に、通信波長として使用されている使用波長のなかから、使用を停止する使用停止波長を決定するスリープ波長決定手順と、
前記スリープ波長決定手順で決定した使用停止波長を使用していたすべての加入者装置を、使用停止波長とは異なる使用波長に切り替える波長切替手順と、
前記スリープ波長決定手順で決定した使用停止波長の送受信器をスリープ状態に移行するスリープ手順と、
を順に有する。
【００２５】
本発明に係る動的波長割当方法では、前記スリープ波長決定手順において、使用波長のうちの使用する前記加入者装置数が最も少ない波長を、使用停止波長に決定してもよい。
【００２６】
本発明に係る動的波長割当方法では、前記与えられた契機は、予め定められた一定周期であってもよい。
【００２７】
なお、上記各発明は、可能な限り組み合わせることができる。
【発明の効果】
【００２８】
本発明によれば、ＯＳＵ稼働台数の削減による省電力動作において、簡易かつ実装を容易に、通信の途絶及び遅延を減少させることができる。
【図面の簡単な説明】
【００２９】
【図１】本発明に関連する波長可変型ＷＤＭ／ＴＤＭ−ＰＯＮシステムの一例を示す構成図である。
【図２】本発明に関連するＯＮＵの一例を示す構成図である。
【図３】本発明の実施形態１におけるＯＳＵ増減設前の状態の一例を示す。
【図４】本発明の実施形態１におけるＯＳＵ増減設後の状態の一例を示す。
【発明を実施するための形態】
【００３０】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００３１】
本発明に係る光加入者システムは、複数のＯＮＵ９２と単一のＯＬＴ９１とをＰＯＮトポロジで接続した構成を有する。ＯＬＴ９１が各ＯＮＵ９２の波長を決定し、各ＯＮＵ９２がＯＬＴ９１から指示された波長を用いてＯＬＴ９１と通信を行う。ＯＬＴ９１は、本発明に係る光通信装置として機能する。
【００３２】
本発明に係る光通信装置は、動的波長帯域割当回路１３がスリープ波長決定部及び波長切替部を備える。本発明に係る動的波長割当方法は、動的波長帯域割当回路１３がスリープ波長決定手順と、波長切替手順と、スリープ手順と、を順に実行する。スリープ波長決定部及び波長切替部は、ＤＷＢＡ計算部１３２に備わる。
【００３３】
（実施形態１）
本発明の第１の実施形態は、与えられたタイミングにおいて、所属しているＯＮＵ数が最も少ないＯＳＵ１１の稼働を停止もしくはスリープ状態に移行する。ここで、スリープ状態とは、ＯＳＵ１１の通信を停止する際に供給される電力を完全に遮断せず、ＯＳＵ１１の通信再開を迅速に行うための最低限の電力を供給している状態を指す。
次に本実施形態の動作を説明する。
【００３４】
図３に本発明の実施形態１における稼働ＯＳＵ台数の増減設の動作の一例を示す。本実施形態においては、ＯＬＴ９１は３台のＯＳＵ１１を搭載し、ＯＳＵ＃１、＃２、＃３はいずれもλ１ｕ，ｄ、λ２ｕ，ｄ、λ３ｕ，ｄの波長組を用いることが可能で、それぞれの波長の組は上り下り４０Ｇｂｉｔ／ｓのＴＤＭ−ＰＯＮである例について説明する。  ＯＬＴ９１には６台のＯＮＵ９２が接続されており、省電力動作実施前のＯＳＵ割当は、ＯＳＵ＃１にＯＮＵ＃１が割り当てられ、＃２、ＯＳＵ＃２にＯＮＵ＃３が割り当てられ、ＯＳＵ＃３にＯＮＵ＃４、＃５、＃６が割り当てられているとする。この場合、波長λ１ｕ，ｄ、λ２ｕ，ｄ、λ３ｕ，ｄが使用波長となる。ＯＮＵ９２すべての下り利用帯域を１０Ｇｂｉｔ／とする。以上の状況を図３に示す。
【００３５】
次に、低消費電力のためのスリープ波長決定手順について説明する。まず、動的波長帯域割当回路１３は、指定されたタイミングで各ＯＳＵ１１に所属するＯＮＵ９２の数を測定する。これらのＯＮＵ９２の数は図３のように所属する全てのＯＮＵ９２がトラフィックを発生させている場合もあれば、発生させていない場合もある。本実施形態におけるＯＮＵ９２の数とは、ＯＬＴ９１に登録され、ＯＳＵ１１配下として管理されているすべてを含む。本実施形態ではＯＳＵ＃１が２台、ＯＳＵ＃２が１台、ＯＳＵ＃３が３台となる。
【００３６】
次に、稼働しているＯＳＵ１１のなかから、電源を遮断もしくはスリープ状態に移行させる使用停止波長のＯＳＵ１１を、所属するＯＮＵ数が最も少ない使用停止波長のＯＳＵ１１に選定する。また、電源を遮断、もしくはスリープ状態に移行すると定めたＯＳＵ１１に所属しているすべてのＯＮＵ９２について、波長切替によって割当を変更する切替先ＯＳＵを定める。
【００３７】
この切替先ＯＳＵの選定方法は本出願において特に指定しないが、例えば電源を遮断もしくはスリープ状態に移行させるＯＳＵ１１以外の稼働しているＯＳＵ番号をランダムに選び、その選んだＯＳＵ番号のＯＳＵ１１を切替先ＯＳＵとしてもよい。本実施形態においては、ＯＮＵ数が最も少ないＯＳＵ＃２をスリープ状態へ移行させるとし、それ以外のＯＳＵ１１の番号＃１及び＃３からランダムに選んだ番号を＃１とし、その結果切替先ＯＳＵ１１をＯＳＵ＃１として選び、ＯＮＵ＃３をＯＳＵ＃１へ波長切替によって所属変更することとする。
【００３８】
次に、動的波長帯域割当回路１３は、波長切替手順を実行する。波長切替手順では、電源を遮断もしくはスリープ状態に移行するＯＳＵ１１に所属しているすべてのＯＮＵ９２の波長切替を実施する。波長切替を実施するＯＮＵ９２の順番は本実施形態では特に指定しない。
【００３９】
電源を遮断もしくはスリープ状態に移行するＯＳＵ１１に所属していたＯＮＵ９２がすべて波長切替によって変更された後に、スリープ手順を実行し、当該ＯＳＵ１１の電源を遮断もしくはスリープ状態に移行させる。本実施形態においては、ＯＮＵ＃３をＯＳＵ＃１へ波長切替を実施し、ＯＳＵ＃２に所属するＯＮＵ９２をすべて移行させたのちにＯＳＵ＃２をスリープ状態にする。
【００４０】
図４に省電力動作のための波長切替手順を実施した後の各ＯＳＵ１１の収容状況、下り帯域の利用状況を示す。ＯＳＵ＃１にはＯＮＵ＃１、＃２、＃３が所属し、ＯＳＵ＃２はスリープ状態へ移行する。
【００４１】
動的波長帯域割当回路１３が指示するこのＯＳＵ減設契機は任意のタイミングで与えることができる。例えば、ＯＬＴ９１の総トラフィック流量を監視しながら、この契機を周期的に与えることも可能である。  
【００４２】
本実施形態によって、以下の効果が期待できる。                    
本発明は、あるＯＳＵ１１の所属するＯＮＵ９２を別のＯＳＵ１１へ波長切替によって収容変更し、所属するＯＮＵ９２がなくなったＯＳＵ１１の電源を遮断もしくはスリープ状態とすることで、稼働させるＯＳＵ数を減少させるというＯＳＵ１１の省電力動作が可能になる。
【００４３】
また、電源遮断、またはスリープ状態へ移行するＯＳＵを定め、そのＯＳＵに所属するＯＮＵを、電源遮断、またはスリープ状態へ移行しないＯＳＵへ波長切替によって順次移行させたのちに、そのＯＳＵの電源を遮断、またはスリープ状態に移行することで、各ＯＮＵの通信トラフィックを可能な限り乱すことなく、省電力動作への移行が可能になる。特に波長切替動作が無瞬断で行えるのであれば、省電力動作への移行はユーザトラフィックへの影響なく行える。
【００４４】
また、本発明は電源を遮断もしくはスリープ状態に移行するＯＳＵ１１の選択において、ＯＮＵ数の最も少ないＯＳＵ１１を選択する。これにより、波長切替を発生させるＯＮＵ数が最も少ないため、波長切替が無瞬断で行えず、通信の途絶もしくは遅延の発生を引き起こす場合においても、その影響を被るユーザ数を最小に抑えることが可能になる。
【００４５】
また、ＯＳＵ減設の契機を定期的に与えることで、ＯＳＵ１１に所属するＯＮＵ９２が過度に分散することなく、稼働するＯＳＵ１１の数を抑制するという常時の低消費電力動作が可能になる。
【産業上の利用可能性】
【００４６】
本発明にかかる動的波長割当方法は、波長可変型ＷＤＭ／ＴＤＭ−ＰＯＮにおいて、稼働するＯＳＵ数を削減することでシステムの消費電力を低減するための、ＯＮＵの再割り当てを行う光通信システムを提供できる。
【符号の説明】
【００４７】
１１：ＯＳＵ
１２：多重分離部
１３：動的波長帯域割当回路
２１：データ受信部
２２：上りバッファメモリ
２３：フレーム送出制御部
２４：フレーム組立送信部
２５：波長可変光送受信器
２６：宛先解析選択受信部
２７：下りバッファメモリ
２８：データ送信部
２９：指示信号受信部
３０：波長切替制御部
３１：要求信号生成部
３２：要求帯域計算部
９１：ＯＬＴ
９２：ＯＮＵ
９３：光部品
１３１：要求信号受信部
１３２：ＤＷＢＡ計算部
１３３：切替指示信号生成部
１３４：制御信号送信部
【図１】
0006043252.tif 000002
【図２】
0006043252.tif 000003
【図３】
0006043252.tif 000004
【図４】
0006043252.tif 000005